(57)【要約】      （修正有）【課題】振動体の振動が伝達される胴部の共鳴を残しつつ、胴部の形状に応じた音質とは異なる音質で発音する楽器を提供する。【解決手段】ギターは、響孔１２を有する胴部１０と、胴部１０に伝達される弦の振動を電気信号に変換して出力する変換部２０と、出力された電気信号に対して信号処理を施して、電気信号の周波数特性を変化させる信号処理部１００と、胴部１０の内部空間に振動面が含まれるように配置され、信号処理が施された電気信号を音に変換して、響孔１２を介して胴部１０の外側に放音するスピーカ５０とを具備する。これにより、ギターは、実際の胴部１０より大きい胴部の共鳴特性に近い音質で発音することができる。【選択図】図３
2015079272.tif 000002
【特許請求の範囲】
【請求項１】
響孔および内部空間を有する胴部と、
電気信号に基づいて発音するスピーカと、を備え、
前記スピーカは、前記響孔が設けられた前記胴部を構成する表板と前記胴部を構成する裏板とに挟まれる位置に配置される
ことを特徴とする楽器。
【請求項２】
前記スピーカは、前記表板に対して斜めになるように向きが決められている振動面を有する
ことを特徴とする請求項１に記載の楽器。
【請求項３】
前記振動面における一方の面を囲うように設けられたエンクロージャをさらに有する
ことを特徴とする請求項２に記載の楽器。
【請求項４】
前記エンクロージャは、ポートを有する
ことを特徴とする請求項３に記載の楽器。
【請求項５】
前記スピーカは、当該スピーカの音軸方向に前記響孔が位置するように配置されている
ことを特徴とする請求項１乃至請求項４のいずれかに記載の楽器。
【発明の詳細な説明】
【技術分野】
【０００１】
本発明は、胴を有する楽器の音質を変化させる技術に関する。
【背景技術】
【０００２】
ギターなどの弦楽器においては、胴部に弦の振動が伝達される。伝達された振動が胴部の内部空間において共鳴することにより、ギターは、胴部の形状などに応じた音質で発音する。胴部が小さいと、演奏者はギターの持ち運びが容易にできる一方、胴部の容積が小さくなってしまうため、低域の音量が減少してしまう。このように、低域の音量が不足してしまう現象は胴部の容積を小さくした場合に限らず、ピックアップした弦の振動を、励振器を用いて強制的に胴に伝達させて音量を大きくするような構成においても問題となる。このような構成を用いる特許文献１においては、ギターの胴部の裏板に、低域の音量を増強するためのスピーカをはめ込むことが開示されている。
【先行技術文献】
【特許文献】
【０００３】
【特許文献１】特表２００２−５３９４７９号公報
【発明の概要】
【発明が解決しようとする課題】
【０００４】
特許文献１に開示された技術において、裏板にはめ込まれたスピーカからの音は、胴部の裏板側の演奏者方向に出力される。この音は、弦の振動をピックアップした電気信号が音として出力されるものであるから、弦の振動をそのまま音に変換したものであり、エレクトリックギターを演奏した場合のような音がスピーカから出力される。また、表板の振動で発生した音は、胴部の響孔から聞こえてくる一方、スピーカからの音は、胴部の裏板側から聞こえてくることとなり、それぞれの音の一体感も少ない。このように、スピーカを設けたとしても、胴部が大きい場合の音質とは大きく異なるものとなってしまう。さらに、このスピーカは、胴部の裏板に設けられているため、外部から視認できてしまう。そのため、アコースティックギターの外観としては望ましくないという側面も持つ。
本発明は、上述の事情に鑑みてなされたものであり、振動体の振動が伝達される胴部の共鳴を残しつつ、胴部の形状に応じた音質とは異なる音質で発音する楽器を提供することを目的とする。
【課題を解決するための手段】
【０００５】
上述の課題を解決するため、本発明は、響孔および内部空間を有する胴部と、電気信号に基づいて発音するスピーカと、を備え、前記スピーカは、前記響孔が設けられた前記胴部を構成する表板と前記胴部を構成する裏板とに挟まれる位置に配置されることを特徴とする楽器を提供する。
【０００６】
別の好ましい態様において、前記スピーカは、前記表板に対して斜めになるように向きが決められている振動面を有することを特徴とする。
【０００７】
また、別の好ましい態様において、前記振動面における一方の面を囲うように設けられたエンクロージャをさらに有することを特徴とする。
【０００８】
また、別の好ましい態様において、前記エンクロージャは、ポートを有することを特徴とする。
【０００９】
また、別の好ましい態様において、前記スピーカは、当該スピーカの音軸方向に前記響孔が位置するように配置されていることを特徴とする。
【発明の効果】
【００１０】
本発明によれば、振動体の振動が伝達される胴部の共鳴を残しつつ、胴部の形状に応じた音質とは異なる音質で発音する楽器を提供することができる。
【図面の簡単な説明】
【００１１】
【図１】本発明の実施形態におけるギターの外観を説明する図である。
【図２】本発明の実施形態における胴部の正面図である。
【図３】図２に示す矢視III−III方向から見た胴部の断面図である。
【図４】本発明の実施形態における信号処理部の構成を説明するブロック図である。
【図５】胴部の大きさの違いによる音響放射特性の違いを説明する図である。
【図６】本発明の実施形態における胴部において、スピーカからの放音の有無による音響放射特性の違いを説明する図である。
【図７】本発明の変形例１における胴部の正面図である。
【図８】図７に示す矢視VIII−VIII方向から見た胴部の断面図である。
【図９】変形例１の胴部に響孔アダプタが取り付けられた状態の断面図である。
【図１０】響孔アダプタの有無による音響放射特性の違いを説明する図である。
【図１１】変形例１の胴部に図９における形状とは別形状の響孔アダプタが取り付けられた状態の断面図である。
【図１２】本発明の変形例３におけるヴァイオリンの構成を説明する図である。
【図１３】図１２に示す矢視XIII−XIII方向から見た胴部の断面図である。
【図１４】変形例４における胴部において、スピーカおよびエンクロージャを取り付けた場合と取り外した場合についての説明図である。
【発明を実施するための形態】
【００１２】
＜実施形態＞
［外観構成］
図１は、本発明の実施形態におけるギター１の外観を説明する図である。本発明の楽器の一例であるギター１は、胴部１０を有している。胴部１０の表板１１ａには、響孔（サウンドホール）１２、ブリッジ１３およびサドル１４が設けられている。弦２と接触するサドル１４およびサドル１４を支持するブリッジ１３を介して、弦２の振動が胴部１０に伝達される。胴部１０の側板１１ｃには、操作部３０が設けられている。操作部３０は、ロータリースイッチ、操作ボタンなどが設けられた操作パネルを有し、利用者による操作が受け付けられると、その操作内容を示す情報を出力する。操作部３０には、メニュー画面などを表示する表示部が設けられていてもよい。なお、操作パネルには、さらに、不揮発性メモリを用いた記録媒体が差し込まれるスロット部が設けられていてもよい。また、側板１１ｃには、さらに、外部からのオーディオ信号の入力を受け付ける入力端子などが設けられていてもよい。
【００１３】
［胴部１０の構成］
図２は、本発明の実施形態における胴部１０の正面図である。図３は、図２に示す矢視III−III方向から見た胴部の断面図である。図２は、ギター１のうち胴部１０の部分を抽出して表した図である。以下に示す図においては、ギター１の他の構成である弦２、指板などについては、記載を省略している。また、以下に説明するスピーカ５０などの位置関係をわかりやすくするため、胴部１０の内部に設けられる響棒についても、記載を省略している。
【００１４】
胴部１０は、表板１１ａ、裏板１１ｂ、側板１１ｃにより囲まれた内部空間ＢＳを有する。表板１１ａの内部空間ＢＳ側のうち、ブリッジ１３およびサドル１４に対向する部分には、変換部２０が設けられている。変換部２０は、コンタクト式ピエゾピックアップを有し、胴部１０に伝達される弦２の振動を、電気信号（以下、オーディオ信号Ｓａという）に変換して出力する。なお、ピエゾピックアップはサドル１４とブリッジ１３との接続部分に設けられるインブリッジ式の構成としてもよい。
【００１５】
胴部１０の内部空間ＢＳには、変換部２０から出力されるオーディオ信号Ｓａに対して、信号処理を施して得られるオーディオ信号Ｓｂをスピーカ５０に供給する信号処理部１００、および供給されたオーディオ信号Ｓｂを振動面の振動により音に変換して放音するスピーカ５０が設けられている。スピーカ５０からの放音は、内部空間ＢＳに含まれる位置に配置された振動面の振動により生じ、響孔１２を介して胴部１０の外側に伝達される。なお、信号処理部１００は、胴部１０の内部空間ＢＳではなく、胴部１０の外側に設けられていてもよい。
【００１６】
スピーカ５０は、表板１１ａと裏板１１ｂとに挟まれる位置に配置されている。この位置に配置されることにより、スピーカ５０は、胴部１０の正面方向から見たときに響孔１２から視認されず、胴部１０の外部から見えにくくなっている。また、スピーカ５０は、表板１１ａの面に対してスピーカ５０の音軸方向ＡＸを法線に持つ面（上記振動面に対応）が斜めになるように、向きが決められている。この例においては、スピーカ５０の音軸方向ＡＸが、響孔１２の方向になるように、構成されている。このような向きにスピーカ５０を配置すると、スピーカ５０から放音の大部分が響孔１２に到達するため、高域特性をよくすることもできる。なお、スピーカ５０の音軸方向ＡＸが響孔１２の方向を向いていなくてもよい。
【００１７】
スピーカ５０の背面側には、エンクロージャ５５が設けられている。この例においては、エンクロージャ５５と裏板１１ｂとにより空間ＥＳが構成される。これにより、スピーカ５０の振動面における一方の面はエンクロージャ５５により囲われて空間ＥＳ側を向くことになり、他方の面は空間ＥＳの外側を向くことになる。このエンクロージャ５５には、孔またはダクト状のポートが構成されていてもよい。その孔の出口部分は、胴部１０の内部すなわち内部空間ＢＳに存在してもよいし、胴部１０の外部に存在していてもよい。
このエンクロージャ５５は必ずしも設けられていなくてもよいが、スピーカ５０の前面側が正圧になっている場合には、背面側が負圧になり、胴部１０の内部空間ＢＳにおいて音圧が打ち消されてしまう場合がある。したがって、効率よく響孔１２から放音されるように、このようなエンクロージャ５５が設けられていることが望ましい。
【００１８】
なお、図示が省略されている響棒は、一般的なギターと同じ構成で設けられているものとするが、スピーカ５０およびエンクロージャ５５の位置を避けるように設けられていてもよいし、スピーカ５０およびエンクロージャ５５が、響棒を避けるように構成されていてもよい。また、エンクロージャ５５の形状を響棒としても使える構成とすれば、響棒の数をエンクロージャ５５が存在しない場合に比べて減らすことも可能である。
【００１９】
［信号処理部１００の構成］
図４は、本発明の実施形態における信号処理部１００の構成を説明するブロック図である。信号処理部１００は、ＡＤ変換部１１０、ＤＳＰ（Digital Signal Processor）１２０、ＤＡ変換部１３０および増幅部１４０を有する。ＡＤ変換部１１０は、変換部２０から入力されるアナログ信号であるオーディオ信号Ｓａをデジタル信号に変換する。
【００２０】
ＤＳＰ１２０は、デジタル信号に変換されたオーディオ信号Ｓａに対して、パラメトリックイコライザ、グラフィックイコライザなどにより、低周波数側の出力レベルを相対的に増加させる信号処理を施して出力する。この例においては、ＤＳＰ１２０は、低周波数側の出力レベルを高周波数側に比べて相対的に増加させる周波数特性を有するＩＩＲ（Infinite impulse response）フィルタにより実現する。低周波数側が示す周波数の範囲は、胴部１０の内部空間ＢＳの容積などに応じて決まるものであるが、この例においては、概ね５０Ｈｚから１８０Ｈｚの範囲である。この上限周波数は、後述する音響放射特性におけるｆ１に応じて決められる。
【００２１】
ＤＡ変換部１３０は、ＤＳＰにおいて信号処理が施されたデジタル信号をアナログ信号に変換して出力する。増幅部１４０は、ＤＡ変換部１３０から出力された信号を増幅してスピーカ５０に出力する。
なお、信号処理部１００は、操作部３０から出力される操作信号に応じて、ＤＳＰ１２０において施される信号処理の内容、増幅部１４０における増幅率などを変更するようにしてもよい。以上が、ギター１における胴部１０の構成についての説明である。
続いて、ギターにおける胴部の大きさの違いにより生じる音質の違いを、音響放射特性を用いて説明する。
【００２２】
［音響放射特性比較］
図５は、胴部の大きさの違いによる音響放射特性の違いを説明する図である。図５に示す音響放射特性は、横軸が周波数、縦軸がレベルとして記載されている。スペクトルＳＢは、小型の胴部（本実施形態における胴部１０の大きさ相当）を持つギターの音響放射特性を示し、スペクトルＬＢは大型の胴部を持つギターの音響特性を示している。
スペクトルＳＢは、低周波数帯域に特徴的な２つのピーク（ｆ１Ｓ、ｆ２Ｓ）を有する。また、スペクトルＬＢも、同様に２つのピーク（ｆ１Ｌ，ｆ２Ｌ）を有する。図５に示すように、スペクトルＳＢは、スペクトルＬＢと比較すると、低周波数帯域側、特にｆ１Ｓより低い周波数帯域において、音圧が低くなることがわかる。これは、小型の胴部においては、内部空間の容積が小さいことにより生じる現象である。
【００２３】
図６は、本発明の実施形態における胴部１０において、スピーカ５０からの放音の有無による音響放射特性の違いを説明する図である。図６に示す音響放射特性は、横軸が周波数、縦軸がレベルとして記載されている。スペクトルＳｏｆｆは、胴部１０においてスピーカ５０の放音をしない場合における音響放射特性を示し、スペクトルＳｏｎは、スピーカ５０の放音をした場合における音響放射特性を示している。
スペクトルＳｏｆｆは、ピークｆ１、ｆ２を有する。このピークｆ１の周波数は、上述したスペクトルＳＢにおけるピークｆ１Ｓよりも少し高い周波数となっている。また、スペクトルＳｏｆｆは、スペクトルＳＢに比べて、低周波数帯域のレベルが低くなっている。これは、胴部１０の内部空間ＢＳのうち、響孔１２に接続されている部分の容積が、エンクロージャ５５が構成する空間ＥＳの容積に相当する分、減少しているためである。
【００２４】
スピーカ５０の放音をした場合には、スペクトルＳｏｎに示すように、ピークｆ１より低い周波数帯域のレベルが高くなる一方、ピークｆ１より高い周波数帯域においては、あまり変化していない。低い周波数帯域における音圧増加は、信号処理部１００における信号処理の影響により得られる効果である。一方、高い周波数帯域において変化が少ないのは、信号処理部１００の影響に加えて、スピーカ５０が胴部１０の内部空間ＢＳにおいて放音することにより、胴部１０の共鳴特性の影響を受けることによる。
このように、本発明の実施形態におけるギター１は、ピークｆ１より低い周波数帯域における音圧増加により、胴部１０より大きい容積を持つ胴部を用いたギターの音質に近い音質で発音することができる。また、このギター１においては、ピークｆ１より高い周波数帯域における音響放射特性の変化が少ないため、胴部１０の共鳴感を残した音質で発音することができる。
【００２５】
＜変形例＞
以上、本発明の実施形態について説明したが、本発明は以下のように、さまざまな態様で実施可能である。
［変形例１］
上述した実施形態においては、スピーカ５０の向きは、表板１１ａの面に対してスピーカ５０の振動面が斜めになるように構成され、スピーカ５０の音軸方向ＡＸが、響孔１２の方向になっていたが、必ずしもこの構成に限られない。
【００２６】
図７は、本発明の変形例１における胴部１０Ａの正面図である。図８は、図７に示す矢視VIII−VIII方向から見た胴部１０Ａの断面図である。図７、図８においては、信号処理部１００など、実施形態において説明した構成の一部については、図示を省略している（以下の図においても同じ。）。変形例１におけるスピーカ５０Ａは、表板１１ａの面とスピーカ５０の振動面とは平行になるように構成されている。したがって、スピーカ５０の音軸方向ＡＸは響孔１２の方向を向いていない。このように構成すると、表板１１ａと裏板１１Ａｂとの距離に関係なく、スピーカ５０の径を大きくすることができ、低域特性をよくすることができる。したがって、このように配置されるスピーカ５０Ａの直径は、表板１１ａと裏板１１Ａｂとの距離よりも長いことが望ましい。
【００２７】
また、変形例１においては、エンクロージャ５５Ａの一部は、裏板１１Ａｂに開口された部分から外側に突出している。そのため、変形例１の胴部１０Ａの形状は、その突出した部分を有した形状となる。その突出した部分には、孔５７Ａが設けられている。なお、孔５７Ａは、ポートにより構成されてもよいし、存在しなくてもよい。また、エンクロージャ５５Ａは、実施形態におけるエンクロージャ５５と同様に、胴部１０Ａの外側に突出した部分がなくてもよい。この場合には、胴部１０Ａの形状は、実施形態における胴部１０Ａの形状と同じものとなる。
【００２８】
また、スピーカ５０の向きは、他の方向を向いていてもよい。例えば、スピーカ５０の振動面が表板１１ａの面と直角に交わる方向であってもよいし、スピーカ５０の音軸方向ＡＸが裏板１１ｂの方向を向くようになっていてもよい。
【００２９】
［変形例２］
上述した実施形態、変形例１において、響孔１２の孔径を小さくするようにしてもよい。例えば、胴部１０、１０Ａに響孔１２に取り付けて、孔径を小さくする響孔アダプタを設けてもよい。以下、変形例１における胴部１０Ａに響孔アダプタを取り付けた場合について説明する。
【００３０】
図９は、変形例１の胴部１０Ａに響孔アダプタ９２が取り付けられた状態の断面図である。図９に示すように、響孔アダプタ９２は、胴部１０Ａの外側から響孔１２に取り付けられることにより、胴部１０Ａの内部空間ＢＳから胴部１０Ａの外側の空間に通じる孔の面積を小さくするものである。
【００３１】
図１０は、響孔アダプタ９２の有無による音響放射特性の違いを説明する図である。図１０に示す音響放射特性は、横軸が周波数、縦軸がレベルとして記載されている。スペクトルＬＳは、響孔アダプタ９２が取り付けられていない胴部１０Ａにおける音響放射特性を示し、スペクトルＳＳは、響孔アダプタ９２が取り付けられた胴部１０Ａにおける音響放射特性を示している。図１０に示すように、響孔１２の孔の面積を小さくすると、ヘルムホルツ共鳴の共鳴周波数を下げることができる。これにより、各ピークの周波数を低下させて、大きい胴部における音響放射特性に近づけるようにしてもよい。
また、響孔１２の孔の面積を小さくすることに代えて、または小さくするとともに、響孔１２をダクト状のポートのように構成してもよい。
【００３２】
図１１は、変形例１の胴部に図９における形状とは別形状の響孔アダプタ９２Ａが取り付けられた状態の断面図である。図１１に示すように、響孔アダプタ９２Ａは、ダクト状に構成され、孔部分の空気バネがやわらかくなる効果により、共鳴周波数を下げることができる。このようにして、図１０に示すように、大きい胴部における音響放射特性に近づけるようにしてもよい。
なお、上記例においては、響孔アダプタ９２、９２Ａを取り付けることにより響孔１２の孔の形状を変更していたが、これらを取り付けない状態で、取り付けた状態と同じような構成の響孔１２となるように、表板１１ａの形状を構成してもよい。
【００３３】
［変形例３］
上述した実施形態においては、楽器の一例としてギター１を用いて説明したが、ギター以外の楽器であってもよい。例えば、ヴァイオリンなどの楽器であってもよい。ヴァイオリンにおける胴部にスピーカを設けた場合の構成についての一例を説明する。
【００３４】
図１２は、本発明の変形例３におけるヴァイオリン１Ｂの構成を説明する図である。図１３は、図１２に示す矢視XIII−XIII方向から見た胴部１０Ｂの断面図である。図１２においては、スピーカ５０Ｂ近傍については、破断線により内部構造が見えるように図示している。以下に示す図においては、ヴァイオリン１Ｂにおける胴部１０の内部に設けられるバスバー、魂柱などについては、記載を省略している。
ヴァイオリン１Ｂの胴部１０Ｂには、実施形態における響孔１２に対応するｆ字孔１２Ｂを有する。ブリッジ１３Ｂは、弦２Ｂの振動を胴部１０に伝達する。表板１１Ｂａの内部空間側に設けられた変換部２０Ｂにより弦の振動が電気信号に変換される。
【００３５】
胴部１０Ｂの内部空間には、実施形態と同様にスピーカ５０Ｂおよびエンクロージャ５５Ｂが設けられている。このスピーカ５０Ｂは、表板１１Ｂａと裏板１１Ｂｂとに挟まれた位置に設けられ、ｆ字孔１２Ｂからは見えにくくなっている。図１３に示すように断面図においては、スピーカ５０Ｂの音軸方向がｆ字孔１２Ｂの方向を向いているが、図１２に示すように、スピーカ５０Ｂは、胴部１０Ｂの弦２Ｂに沿った位置に存在するため、実際には、スピーカ５０Ｂの音軸方向は、２つのｆ字孔１２Ｂの中央部分の表板１１Ｂａに向いている。なお、スピーカ５０Ｂの音軸方向をいずれかのｆ字孔１２Ｂに向くようにしてもよい。また、スピーカ５０Ｂを２つ設けて、一方のスピーカ５０Ｂの音軸方向が一方のｆ字孔１２Ｂに向くようにし、他方のスピーカ５０Ｂの音軸方向が他方のｆ字孔１２Ｂに向くようにしてもよい。変形例１に示すように、スピーカ５０Ｂは、その振動面が表板１１Ｂａの面と平行になるように配置されていてもよい。
【００３６】
また、上記に示すように楽器の一例としては、弦楽器に限るものではなく、振動体、および振動体の振動が伝達され、響孔に相当する開口部を持つ胴部を有するものであればよい。例えば、コンガ、ボンゴ、バスドラム、ティンパニなど、振動体となる膜を持つ打楽器（膜鳴楽器）にも適用可能である。一般に、低域を大きく発音させる胴部を有する楽器は、胴部が大きいものが多いが、本発明の構成を用いることにより、胴部を小型化することもできる。
【００３７】
［変形例４］
上述した実施形態において、スピーカ５０およびエンクロージャ５５は、胴部１０と着脱可能に構成されていてもよい。この場合の一例について図１４を用いて説明する。
【００３８】
図１４は、変形例４における胴部１０Ｃにおいて、スピーカ５０Ｃおよびエンクロージャ５５Ｃを取り付けた場合と取り外した場合についての説明図である。図１４（ａ）は、スピーカ５０Ｃおよびエンクロージャ５５Ｃが取り付けられた状態を示す図、図１４（ｂ）は、スピーカ５０Ｃおよびエンクロージャ５５Ｃが取り外された状態を示す図、図１４（ｃ）は、蓋部１１Ｃｄが裏板１１Ｃｂに取り付けられた状態を示す図である。
エンクロージャ５５Ｃおよび蓋板１１Ｃｄは、ネジなどにより構成される着脱部６０Ｃにより裏板１１Ｃｂと着脱可能に設けられている。変換部２０とスピーカ５０Ｃとの信号経路についても、図示しないコネクタなどにより、接続または切断ができるように構成しておけばよい。なお、図示しない信号処理部１００は、エンクロージャ５５Ｃとともに着脱されてもよい。
このように構成されていることにより、演奏者は、低域を重視した演奏をしたい場合には、胴部１０Ｃにスピーカ５０Ｃおよびエンクロージャ５５Ｃを取り付けた構成とし、重視しない場合に、これらを取り外し、蓋板１１Ｃｄを取り付けた構成として演奏すればよい。
【００３９】
［変形例５］
上述した実施形態においては、スピーカ５０は、表板１１ａと裏板１１ｂとに挟まれる位置に配置され、響孔１２から見えにくい状態になっていたが、響孔１２部分と裏板１１ｂとに挟まれる位置に配置され、響孔１２から見やすい状態となっていてもよい。
【００４０】
［変形例６］
上述した実施形態においては、ＤＳＰ１２０における信号処理は、低周波数側の出力レベルを相対的に増加させる信号処理であったが、オーディオ信号Ｓａの周波数特性を変化させる信号処理であれば、どのような信号処理であってもよい。例えば、特定の周波数帯域を他の周波数帯域に比べて増加させる信号処理がある。特定の周波数帯域は、上記音響放射特性におけるｆ１よりも高い周波数帯域であってもよい。このように、増加させる周波数帯域によって、きらびやかな音を付加した音質での発音も可能となる。なお特定の周波数帯域は、複数の帯域に分割されたものであってもよい。
【符号の説明】
【００４１】
１…ギター、１Ｂ…ヴァイオリン、２，２Ｂ…弦、１０，１０Ａ，１０Ｂ，１０Ｃ…胴部、１１ａ，１１Ｂａ…表板、１１ｂ，１１Ａｂ，１１Ｂｂ，１１Ｃｂ…裏板、１１ｃ…側板、１１Ｃｄ…蓋板、１２…響孔、１２Ｂ…ｆ字孔、１３，１３Ｂ…ブリッジ、１４…サドル、２０，２０Ｂ…変換部、３０…操作部、５０，５０Ａ，５０Ｂ，５０Ｃ…スピーカ、５５，５５Ａ，５５Ｂ，５５Ｃ…エンクロージャ、５７Ａ…孔、６０Ｃ…着脱部、９２，９２Ａ…響孔アダプタ、１００…信号処理部、１１０…ＡＤ変換部、１２０…ＤＳＰ、１３０…ＤＡ変換部、１４０…増幅部
【図１】
2015079272.tif 000003
【図２】
2015079272.tif 000004
【図３】
2015079272.tif 000005
【図４】
2015079272.tif 000006
【図７】
2015079272.tif 000007
【図８】
2015079272.tif 000008
【図９】
2015079272.tif 000009
【図１１】
2015079272.tif 000010
【図１２】
2015079272.tif 000011
【図１３】
2015079272.tif 000012
【図１４】
2015079272.tif 000013
【図５】
2015079272.tif 000014
【図６】
2015079272.tif 000015
【図１０】
2015079272.tif 000016